(57)【特許請求の範囲】
【請求項１】
機器筐体の前面に画面表示部を備えていて映像出力を可能にしている車載用電子機器の画面表示部を保護する保護カバーにおいて、
前記保護カバーは、画面表示部の下方の部位にて機器筐体に枢着されていて画面表示部が占める領域のほぼ半分の領域を開閉可能に覆うようにしている下部扉と、下部扉が覆う領域以外の画面表示部の領域を覆うようにしている上部扉であってその下端縁と下部扉の上端縁とで該各扉を互いに折り曲げ可能に連結されている該上部扉とよりなり、
前記上部扉は、上端の側部が画面表示部の面とほぼ平行の案内路中を移動可能に係支され、
保護カバーを画面表示部に対して開放状態にして掛止させる第一の掛止手段と、保護カバーを画面表示部に対して閉塞状態にして掛止させる第二の掛止手段とを備えた、
ことを特徴とする車載用電子機器の保護カバー。
【請求項２】
前記第一の掛止手段により掛止されている状態において下部扉と上部扉との折り曲げ角度を増大させるように作用すべく付勢された第一の付勢手段を前記連結の軸線上に備え、
前記第二の掛止手段により掛止されている状態において下部扉と上部扉との折り曲げ角度を減少させるように作用すべく付勢された第二の付勢手段を機器筐体に備えた、
ことを特徴とする請求項１記載の車載用電子機器の保護カバー。
【請求項３】
前記第一の掛止手段により掛止されている状態においては下部扉と上部扉との折り曲げ角度を増大させるように作用し且つ、前記第二の掛止手段により掛止されている状態においては下部扉と上部扉との折り曲げ角度を減少させるように作用すべく該各状態における付勢力が設定されている扉開閉付勢手段を前記連結の軸線上に備えた、
ことを特徴とする請求項１記載の車載用電子機器の保護カバー。
【請求項４】
保護カバーは、透明材よりなるスイッチ押しボタンをその表面から突出させて配設してなり、
保護カバーが第二の掛止手段によって掛止されている状態における前記スイッチ押しボタンの後端部に対向させて、その押し込み操作に基づく該後端部の当接によって作動するスイッチ作動部を機器筐体に備えた、
ことを特徴とする請求項１乃至請求項３記載の車載用電子機器の保護カバー。
【請求項５】
機器筐体の前面に画面表示部を備えていて映像出力とオーディオ出力との切り換えを可能にしている車載用電子機器の画面表示部を保護する保護カバーにおいて、
前記保護カバーは、画面表示部の下方の部位にて機器筐体に枢着されていて画面表示部が占める領域のほぼ半分の領域を開閉可能に覆うようにしている下部扉と、下部扉が覆う領域以外の画面表示部の領域を覆うようにしている上部扉であってその下端縁と下部扉の上端縁とで該各扉を互いに折り曲げ可能に連結されている該上部扉とよりなり、
前記上部扉は、上端の側部が画面表示部の面とほぼ平行の案内路中を移動可能に係支され、
保護カバーを画面表示部に対して開放状態にして掛止させる第一の掛止手段と、保護カバーを画面表示部に対して閉鎖状態にして掛止させる第二の掛止手段とを備え、
前記保護カバーが画面表示部の当該部位を覆った状態とその開放状態とに互いに移行する際にオン・オフ切り替え作動するスイッチを含み、前記覆った状態で電子機器をオーディオ出力にし前記開放状態で映像出力にする出力切り替え手段を備えた、
ことを特徴とする車載用電子機器の保護カバー。
【発明の詳細な説明】
【０００１】
【発明の属する技術分野】
本発明は、車載用電子機器の保護カバーに関し、特に機器筐体の前面に画面表示部を備えていて映像出力を可能にしている車載用電子機器の画面表示部を保護する保護カバーとその関連部に関するものである。
【０００２】
【従来の技術】
この種の電子機器は、その前面部の大半が画面表示部をなしていて、画面表示部が露出している場合が多い。よって正面から見た外観の形状は、画面表示部によって大半が占有されている。
【０００３】
【発明が解決しようとする課題】
上記の画面表示部の配置と形状とは殆ど決まってしまうので、画面表示部が露出していると、デザインがその画面表示部によって制約されて、デザイン設計上の自由度が少なかった。又、画面表示部が露出していると、画面表示部が傷ついたり汚れたりするという問題点があった。
【０００４】
上記の課題を解決するために本発明の目的は、デザインの自由度を向上させ且つ、画面表示部の損傷や汚損を保護するようにした保護カバーを提供することである。そして又、保護カバーの操作性を向上させ、そして更には、保護カバー上にスイッチを体裁よく配置可能にし、更には又、保護カバーの開閉と連動させて機器の機能を切り替え可能にすることである。
【０００５】
【課題を解決するための手段】
上記の目的を達成するために請求項１の発明は、機器筐体の前面に備えた画面表示部を保護するようにした保護カバーが、画面表示部の下方の部位に枢着されている下部扉と、該下部扉と互いに折り曲げ可能に連結された上部扉とで形成されていて、下部扉が画面表示部のほぼ半分の下部領域を開閉可能に覆い、上部扉が残りの上部領域を覆うようにし、そして上部扉は、上端の側部が画面表示部の面とほぼ平行の案内路中を移動可能に係支されていて、保護カバーが、第一の掛止手段によって画面表示部に対する開放状態に掛止可能であり、第二の掛止手段によって同様に閉塞状態に掛止可能であって、第一の掛止手段による掛止のときに保護カバーによって画面表示部が開放され、第二の掛止手段による掛止のときには、画面表示部が覆われる。
【０００６】
そして請求項２の発明は、請求項１における第一の掛止手段により掛止されている状態において下部扉と上部扉との折り曲げ角度を増大させるように作用すべく付勢された第一の付勢手段を前記連結の軸線上に備え、第二の掛止手段により掛止されている状態において下部扉と上部扉との折り曲げ角度を減少させるように作用すべく付勢された第二の付勢手段を機器筐体に備えていて、第一の掛止手段による掛止が解放されると、第一の付勢手段によって下部扉と上部扉とが互いに折り曲げが戻される方向に移動し、そして第二の掛止手段による掛止が解放されると、第二の付勢手段によって下部扉と上部扉とが互いに折り曲げられる方向に移動する。
【０００７】
そして請求項３の発明は、請求項１における第一の掛止手段により掛止されている状態においては下部扉と上部扉との折り曲げ角度を増大させるように作用し且つ、第二の掛止手段により掛止されている状態においては下部扉と上部扉との折り曲げ角度を減少させるように作用すべく該各状態における付勢力が設定されている扉開閉付勢手段を前記連結の軸線上に備えていて、該扉開閉付勢手段によって、請求項２におけると同様に作用する。
【０００８】
そして請求項４の発明は、請求項１乃至請求項３における保護カバーの表面から突出させて、透明材よりなるスイッチ押しボタンを配設し、保護カバーが第二の掛止手段により掛止されている状態におけるスイッチ押しボタンの後端部に対向させて、その押し込み操作に基づく該後端部の当接によって作動するスイッチ作動部を機器筐体に備えていて、保護カバーが画面表示部を覆った状態においてスイッチ押しボタンによるスイッチの作動を可能にする。
【０００９】
そして請求項５の発明は、保護カバーの基本構成が請求項１におけると同様であって、保護カバーが画面表示部を覆った状態とその開放状態とに互いに移行する際にオン・オフ切り替え作動するスイッチを含み、前記覆った状態で電子機器をオーディオ出力にし前記開放状態で映像出力にする出力切り替え手段を備えていて、保護カバーの開放に連動させて、電子機器の出力の切り替えが行われる。
【００１０】
【発明の実施の形態】
以下、本発明の好ましい実施の形態について添付図面を参照しつつ説明する。図１乃至図５は、本発明による第１の実施の形態例としての電子機器を示し、図１は保護カバーが画面表示部を覆っている状態（閉塞した状態）を示す正面図、図２は図１の一部断面図を含む側面図、図３は保護カバーが画面表示部を開放する過程の状態の一部断面図を含む側面図、図４は開放した状態を示す正面図、図５は図４の一部断面図を含む側面図である。
【００１１】
各図において、１は車載用のモニタとして使用されている電子機器で、２はその機器本体である。３はエスカッションで、ＬＣＤパネル４等を備えた筐体を形成し、機器本体２の前面側に取り付けられている。該ＬＣＤパネル４の前面部は画面表示部５をなしている。
【００１２】
６は保護カバーで、後記するように、画面表示部５を覆い或いはこれを開放すべく開閉可能にしている。該保護カバー６は、下部扉７と上部扉８とよりなり、下部扉７は、画面表示部５の下方の部位にてカバー取り付け軸９によってエスカッション３に枢着されていて、画面表示部５が占める領域のほぼ半分の領域を開閉可能に覆うようにしている。そして下部扉７の上端縁と上部扉８の下端縁とがヒンジ１０によって連結されていて、上部扉８は、下部扉７が覆う領域以外の画面表示部５の領域を覆うようにしている。該各扉は互いに折り曲げ可能であり、後記するように、その折り曲げを伴って画面表示部５に対して覆いが開放されるようにしている。
【００１３】
上部扉８は、その上端の両側部に係支用ピン１１を備え、一方、エスカッション３には、画面表示部５の面とほぼ平行で且つ上下方向の案内溝（案内路）１２を備えていて、該案内溝１２中に係支用ピン１１が移動可能に係支されている。エスカッション３は又、案内溝１２に沿った部位に上部扉ロック用爪１３を備えていて、保護カバー６が開放状態において、係支用ピン１１を該上部扉ロック用爪１３に掛止させる。そしてエスカッション３は更に、下部扉ロック用爪１４を備え、下部扉７には、下部扉ロック用爪１４に対向させてロック用穴１５を備えていて、保護カバー６が閉塞状態において、ロック用穴１５を該下部扉ロック用爪１４に掛止させる。
【００１４】
上記の上部扉ロック用爪１３と下部扉ロック用爪１４とは、爪取付け用軸１６に揺動可能に取り付けられ、コイルばね１７によって各図における反時計方向に付勢されていて、これらを掛止状態に受入可能にしている。尚、図示していないが、エスカッション３には別途、カバー開閉用ボタンを備えていてこれを操作することによって上部扉ロック用爪１３及び下部扉ロック用爪１４が取付け用軸１６を中心に時計方向に揺動して、これらを掛止状態から解放させる。上記の下部扉ロック用爪１４とロック用穴１５とは本発明の第二の掛止手段をなし、係支用ピン１１と上部扉ロック用爪１３とは本発明の第一の掛止手段をなす。
【００１５】
１８は本発明の第一の付勢手段としてのコイルばねで、ヒンジ１０の軸線上に取り付けられていて、上記の第一の掛止手段により掛止されている状態（図４，図５に示す開放状態）において下部扉７と上部扉８との折り曲げ角度を増大させるように作用すべく付勢されている。１９はプッシュノブで、上部扉８におけるヒンジ１０の軸線に近い部位に対向させてエスカッション３に取り付けられ、上記の第二の掛止手段により掛止されている状態（図１，図２に示す閉塞状態）においてその先端を上部扉８の裏面に押し当てるようにしている。２０はその押し当て付勢用の圧縮ばねである。尚、この閉塞状態においては、コイルばね１８のばね力は作用しないように設定されている。
【００１６】
次に、以上の図１乃至図５に示す構成の保護カバー６の開閉動作を説明する。保護カバー６が図１，図２に示すように画面表示部５を閉塞していてロック用穴１５を該下部扉ロック用爪１４に掛止させているものとする。図示しないカバー開閉用ボタンが操作されて、ロック用穴１５が下部扉ロック用爪１４による掛止から解放されると、上部扉８がプッシュノブ１９によって図３に示すように前方に押し出される。引き続き上部扉８を手で押し下げると、下部扉７と上部扉８とが互いに折り曲げられて、図４，図５に示すように画面表示部５が開放され、係支用ピン１１が上部扉ロック用爪１３を乗り越えた状態でこれに掛止され、該開放状態が確保される。
【００１７】
そしてこの開放状態において、上記の図示しないカバー開閉用ボタンが操作されて、係支用ピン１１が上部扉ロック用爪１３による掛止から解放されると、コイルばね１８によって下部扉７と上部扉８との折り曲げ角度が広がるように作用して、図３に示すように半ば画面表示部５を塞いだ状態になる。引き続き上部扉８を手で押し込むと、図１に示すように画面表示部５が閉塞され、ロック用穴１５が下部扉ロック用爪１４によって掛止され、該閉塞状態が確保される。
【００１８】
上記したように画面表示部５が閉塞された状態或いは開放された状態に掛止されている場合に、これら掛止を解放するための単純な操作を行うことのみで、その後に、保護カバー６を開放又は閉塞状態に移行させることが可能となる。
【００１９】
図６は本発明による第２の実施の形態例としてのコイルばねの構成図である。コイルばね２１は、扉開閉付勢手段をなし、図１等におけるコイルばね１８に代えて使用されるものであって且つ、図１等におけるプッシュノブ１９等を不要にしている。該コイルばね２１は、一端２１Ａが下部扉７に掛止され、他端２１Ｂが上部扉８に掛止されている。そして図３に示すような保護カバー６が半ば開放された状態においては同図におけるコイルばね１８と同様な、図６に実線で示す形状状態にあって、その付勢力がなく、よって偏移を自由にしている。
【００２０】
図２に示すような、保護カバー６が画面表示部５を閉塞しているときには、コイルばね２１は、位置（Ｐ１）にあってこの場合、ばねが巻き戻された状態になっていて、他端２１Ｂが時計方向に付勢されている。よってこの閉塞状態で、ロック用穴１５が下部扉ロック用爪１４による掛止から解放されると、プッシュノブ１９が作用したときと同様に図３の状態に移行して、開放可能になる。
【００２１】
そして図５に示すような、保護カバー６が画面表示部５を開放しているときには、コイルばね２１は、位置（Ｐ２）にあってこの場合、ばねが巻き込まれた状態になっていて、他端２１Ｂが反時計方向に付勢されている。よってこの開放状態で、係支用ピン１１が上部扉ロック用爪１３による掛止から解放されると、コイルばね１８と同様に作用して、図３に示すように半ば画面表示部５を塞いだ状態になって、閉塞可能になる。このようにして、図６に示す１個のコイルばね２１を用いて、コイルばね１８とプッシュノブ１９を用いた場合と同様な効果をもたらすことが可能になる。
【００２２】
図７は、本発明による第３の実施の形態例としての、電子機器の保護カバー６Ａが画面表示部を覆っている状態を示す一部断面図を含む側面図である。同図において、エスカッション３等の構成は、図２等に示すこれらの構成と基本的には同等である。そして図２等に示す機器本体２と各部を適宜省略して示している。
【００２３】
２２はタッチパネルで、ＬＣＤパネル４の前面に備え、その特定部位に物が触れると、当該部位に固有の感応信号が制御部に送られるようにしている。２３は下部扉で、これと一体にした取り付け板２４にゴム状弾性物質よりなる弾性板２５が取り付けられている。２６はスイッチボタンで、透明の合成樹脂材料よりなり、その操作部を下部扉２３から突出させ、弾性板２５を介在させて、下部扉２３の裏面部と取り付け板２４とで挟持されている。該スイッチボタン２６は、その作用端２６Ａがタッチパネル２２の各特定部位に対向しており、スイッチボタン２６が押し操作されると作用端２６Ａがタッチパネル２２に当接して、当該特定の信号が出力される。
【００２４】
上記したように、このスイッチボタン２６は透明材料によって形成されていて保護カバー６Ａから突出させた構成にしているので、保護カバー６Ａによる閉塞状態のままで操作が可能であり又、画面表示部５の光源を利用すれば、専用の光源を用いること無しに種々の照明が可能になる。そして実施に当たっては、スイッチを配設するための専用のプリント配線等が不要であって、コスト的にも有利な構成になし得る。
【００２５】
図８は、本発明による第４の実施の形態例としての、電子機器の保護カバー６が画面表示部を覆っている状態を示す正面図である。同図における各部の基本構成は、図１等に示したものと同等であり、同図においては、保護カバー６が閉塞状態にあるときの係支用ピン１１に対向させて、カバー状態検出用スイッチ２７が、エスカッション３に取り付けられている。この場合の電子機器１Ａは映像出力とオーディオ出力との切り換えを可能にしている。
【００２６】
カバー状態検出用スイッチ２７は該状態において、係支用ピン１１によってオン作動されて、保護カバー６が閉塞状態であることを示す信号を図示しない制御部に出力する。そして保護カバー６が開放されて、係支用ピン１１がカバー状態検出用スイッチ２７の対向部位から離れると、オフ作動されて、保護カバー６が開放状態であることを示す信号を同様に出力する。該制御部は、オン作動信号を受けたときには電子機器１Ａを映像出力用に指定し、オフ作動信号を受けたときには電子機器１Ａをオーディオ出力用に指定する。よってこれら切り替えのために専用の操作キー等を設けること無しに、操作性の良い切り替えを行うことが可能になる。
【００２７】
【発明の効果】
請求項１記載の発明によれば、保護カバーが、画面表示部の下方の部位に枢着されて画面表示部の下部領域を開閉可能に覆うようにした下部扉と、下部扉と互いに折り曲げ可能に連結さて上部領域を覆うようにした上部扉とで形成されていて、第一の掛止手段によって画面表示部に対する開放状態に掛止可能であり、第二の掛止手段によって同様に閉塞状態に掛止可能にしたので、保護カバーが確実に閉塞されて画面表示部が保護され、このとき画面表示部が覆い隠されているのでデザイン上の自由度が増大する。そして開放状態のときも前方への突き出し量が少ないので取り付けのためのスペースが少なくて済む。
【００２８】
そして請求項２又は請求項３記載の発明によれば、請求項１における第一の掛止手段により掛止されている状態においては下部扉と上部扉との折り曲げ角度を増大させるように作用すべく付勢され、第二の掛止手段により掛止されている状態においては下部扉と上部扉との折り曲げ角度を減少させるように作用すべく付勢されるようにしたので、第一の掛止手段による掛止が解放されると、第一の付勢手段によって下部扉と上部扉とが互いに折り曲げが戻される方向に移動し、そして第二の掛止手段による掛止が解放されると、第二の付勢手段によって下部扉と上部扉とが互いに折り曲げられる方向に移動する。よって該各移動した状態の保護カバーを手動操作等で容易に開閉可能であって操作性が向上する。
【００２９】
そして請求項４記載の発明によれば、請求項１乃至請求項３における保護カバーの表面から突出させて、透明材よりなるスイッチ押しボタンを配設し、保護カバーが第二の掛止手段により掛止されている状態におけるスイッチ押しボタンの後端部に対向させて、スイッチ作動部を備えたので、保護カバーが画面表示部を覆った状態においてスイッチ押しボタンによってスイッチ操作可能であり又、画面表示部の光源を利用すれば、専用の光源を用いること無しに種々の照明が可能になる。そして実施に当たっては、スイッチを配設するための専用のプリント配線等が不要であって、コスト的にも有利な構成になし得る。
【００３０】
そして請求項５の発明によれば、保護カバーが請求項１におけると同様な構成であって、該保護カバーが、画面表示部を閉塞した状態とその開放状態とに互いに移行する際にスイッチによってオン・オフ切り替え作動して、保護カバーを閉塞した状態で電子機器をオーディオ出力に指定され、開放状態で映像出力に指定されるようにしたので、保護カバーの開放に連動され、よってこれら切り替えのために専用の操作キー等を設けること無しに、操作性の良い切り替えを行うことが可能になる。
【図面の簡単な説明】
【図１】本発明による第１の実施の形態例としての電子機器における保護カバーが画面表示部を覆っている状態（閉塞した状態）を示す正面図である。
【図２】図１における保護カバーが画面表示部を覆っている状態の一部断面図を含む側面図である。
【図３】図１における保護カバーが画面表示部を開放する過程の状態の一部断面図を含む側面図である。
【図４】図１における保護カバーが画面表示部を開放した状態を示す正面図である。
【図５】図４の一部断面図を含む側面図である。
【図６】本発明による第２の実施の形態例としてのコイルばねの構成図である。
【図７】本発明による第３の実施の形態例としての電子機器における保護カバーが画面表示部を覆っている状態を示す一部断面図を含む側面図である。
【図８】本発明による第４の実施の形態例としての電子機器における保護カバーが画面表示部を覆っている状態を示す正面図である。
【符号の説明】
１，１Ａ  電子機器
２  機器本体
３  エスカッション（機器筐体）
４  ＬＣＤパネル
５  画面表示部
６，６Ａ  保護カバー
７，２３  下部扉
８  上部扉
９  カバー取り付け軸
１０  ヒンジ
１１  係支用ピン（第二の掛止手段）
１２  案内溝（案内路）
１３  上部扉ロック用爪（第二の掛止手段）
１４  下部扉ロック用爪（第一の掛止手段）
１５  ロック用穴（第一の掛止手段）
１８  コイルばね（第一の付勢手段）
１９  プッシュノブ（第二の付勢手段）
２０  圧縮ばね（第二の付勢手段）
２１  コイルばね（扉開閉付勢手段）
２２  タッチパネル
２５  弾性板
２６  スイッチボタン
２７  カバー状態検出用スイッチ
【図１】
0004259681.tif 000002
【図２】
0004259681.tif 000003
【図３】
0004259681.tif 000004
【図４】
0004259681.tif 000005
【図５】
0004259681.tif 000006
【図６】
0004259681.tif 000007
【図７】
0004259681.tif 000008
【図８】
0004259681.tif 000009